【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
ビデオストリーム（１）の複数のピクチャ（１０、４０、４２、５０）のうちの１つのピクチャ（１０）の符号化表現（６０）を復号する方法であって、
前記ピクチャ（１０）の符号化表現（６０）から少なくとも１つの参照ピクチャ（４０、４２）を定義するバッファ記述情報を取得する工程（Ｓ３０）と、
前記バッファ記述情報に基づいて、前記少なくとも１つの参照ピクチャ（４０、４２）のうちの参照ピクチャ（４０、４２）の各々を示す少なくとも１つのピクチャ識別子を、前記ピクチャ（１０）の復号参照として決定する工程（Ｓ３１）と、
前記少なくとも１つのピクチャ識別子に基づいて、復号されたピクチャバッファ（５３０、６５０）を更新する工程（Ｓ３２）であって、前記復号されたピクチャバッファ（５３０、６５０）に含まれる全ての参照ピクチャであり、且つ前記バッファ記述情報に基づいて決定された前記少なくとも１つのピクチャ識別子のいずれとも関連づけられていないピクチャを、参照に用いないものとしてマークする工程（Ｓ７０）を含む、工程（Ｓ３２）と、を有し、
前記少なくとも１つのピクチャ識別子を決定する前記工程（Ｓ３１）は、
前記バッファ記述情報に基づいて、各デルタ識別子を取得する工程（Ｓ４０）と、
前記ピクチャ（１０）を示すピクチャ識別子及び前記各デルタ識別子に基づいて、前記少なくとも１つのピクチャ識別子を算出する工程（Ｓ４１）と、を有する
ことを特徴とする方法。
【請求項２】
前記復号されたピクチャバッファ（５３０、６５０）を更新する前記工程（Ｓ３２）は、前記少なくとも１つのピクチャ識別子により示される前記参照ピクチャ（４０、４２）の各々を含むように前記復号されたピクチャバッファ（５３０、６５０）を更新する工程（Ｓ３２）を有することを特徴とする請求項１に記載の方法。
【請求項３】
前記バッファ記述情報を取得する前記工程（Ｓ３０）は、前記ピクチャ（１０）の符号化表現（６０）から、複数の参照ピクチャ（４０、４２）を定義する前記バッファ記述情報を取得する工程（Ｓ３０）を有し、
前記少なくとも１つのピクチャ識別子を決定する前記工程（Ｓ３１）は、前記バッファ記述情報に基づいて、ｉ）前記複数の参照ピクチャ（４０、４２）のうちの参照ピクチャ（４０、４２）の各々を示す少なくとも１つのピクチャ識別子を、該ピクチャ（１０）の復号参照として決定し、ｉｉ）前記複数の参照ピクチャ（４０、４２）のうちの参照ピクチャ（４２）の各々を示す少なくとも１つのピクチャ識別子を、前記ビデオストリーム（１）の復号順に係り後続するピクチャ（５０）の復号参照として決定する工程（Ｓ３１）を有する
ことを特徴とする請求項１または２に記載の方法。
【請求項４】
前記ピクチャ（１０）の符号化表現（６０）及び前記復号されたピクチャバッファ（５３０、６５０）に含まれる少なくとも１つの参照ピクチャ（４０、４２）に基づいて前記ピクチャ（１０）を復号する工程（Ｓ３３）をさらに有し、
前記ピクチャ（１０）を復号する前記工程は、前記復号されたピクチャバッファ（５３０、６５０）の更新する工程の後に行われる
ことを特徴とする請求項１乃至３のいずれか１項に記載の方法。
【請求項５】
前記復号されたピクチャバッファ（５３０、６５０）を更新する前記工程（Ｓ３２）は、前記復号されたピクチャバッファ（５３０、６５０）に含まれる参照ピクチャであって、前記バッファ記述情報に基づいて決定された前記少なくとも１つのピクチャ識別子のうちの１つのピクチャ識別子が関連づけられたピクチャを、参照に用いるものとして、好ましくは短期参照または長期参照に用いるものとしてマークする工程（Ｓ７０）を有することを特徴とする請求項１乃至４のいずれか１項に記載の方法。
【請求項６】
参照ピクチャのいずれかをマークする前記工程は、前記ピクチャ（１０）を復号する前記工程に先立って実行されることを特徴とする請求項１乃至５のいずれか１項に記載の方法。
【請求項７】
前記ピクチャ（１０）を復号する前記工程に先立って、表示用の前記復号されたピクチャバッファ（５３０、６５０）から０以上のピクチャを出力する工程（Ｓ７１）をさらに有することを特徴とする請求項１乃至６のいずれか１項に記載の方法。
【請求項８】
前記バッファ記述情報を取得する前記工程（Ｓ３０）は、前記ピクチャ（１０）の符号化表現（６０）のスライスヘッダ（６５）から前記バッファ記述情報を取得する工程を有することを特徴とする請求項１乃至７のいずれか１項に記載の方法。
【請求項９】
前記バッファ記述情報を取得する前記工程（Ｓ３０）は、
前記少なくとも１つの参照ピクチャ（４０、４２）を定義するバッファ記述を示す前記バッファ記述情報を、前記ピクチャ（１０）の符号化表現（６０）から取得する工程（Ｓ５１）と、
前記バッファ記述情報に基づいて、各々が少なくとも１つの参照ピクチャ（４０、４２）を定義する複数の予め定義されたバッファ記述を含む１つのデータ構造から、前記バッファ記述を同定する工程（Ｓ５２）と、を有する
ことを特徴とする請求項１乃至８のいずれか１項に記載の方法。
【請求項１０】
前記ビデオストリーム（１）の１つの符号化表現に関連づけられた、１つのピクチャパラメータセット（６７）または１つのシーケンスパラメータセット（６８）から前記データ構造を取得する工程（Ｓ５０）をさらに有することを特徴とする請求項９に記載の方法。
【請求項１１】
前記バッファ記述情報は、前記バッファ記述を示す識別子及び少なくとも１つの参照ピクチャ（４０、４２）を定義する情報を含み、
前記少なくとも１つのピクチャ識別子を決定する前記工程（Ｓ３１）は、
前記バッファ記述に基づいて、参照ピクチャの各々を示す少なくとも１つの参照ピクチャ（４０、４２）の第１のセットを決定する工程（Ｓ６０）と、
前記少なくとも１つの参照ピクチャ（４０、４２）を定義する情報に基づいて、参照ピクチャの各々を示す少なくとも１つのピクチャ識別子の第２のセットを決定する工程（Ｓ６１）と、
前記第１のセット及び前記第２のセットに基づいて、ピクチャ識別子のジョイントセットを形成する工程（Ｓ６２）と、を有する
ことを特徴とする請求項９または１０に記載の方法。
【請求項１２】
前記ジョイントセット内のピクチャ識別子の総数と参照ピクチャの最大数とを比較する工程（Ｓ６３）と、
前記ピクチャ識別子の総数が前記参照ピクチャの最大数を上回る場合に、前記第１のセットに含まれ、かつ前記第２のセットに含まれない１以上のピクチャ識別子を、前記ジョイントセット内のピクチャ識別子の総数が前記参照ピクチャの最大数を超えない数まで前記ジョイントセットから削除する工程（Ｓ６４）と、をさらに有する
ことを特徴とする請求項１１に記載の方法。
【請求項１３】
前記復号されたピクチャバッファ（５３０、６５０）を更新する前記工程（Ｓ３２）は、前記復号されたピクチャバッファ（５３０、６５０）内に存在し、前記バッファ記述情報から決定される前記少なくとも１つのピクチャ識別子のいずれかに関連付けられていない全ての参照ピクチャを、前記復号されたピクチャバッファ（５３０、６５０）から削除する工程（Ｓ７０）を有することを特徴とする請求項１乃至１２のいずれか１項に記載の方法。
【請求項１４】
前記決定された少なくとも１つのピクチャ識別子と、前記復号されたピクチャバッファ（５３０、６５０）内に存在する参照ピクチャが関連付けられたピクチャ識別子とを比較する工程（Ｓ７２）と、
所定のピクチャを示すピクチャ識別子が前記決定された少なくとも１つのピクチャ識別子から発見され、前記所定のピクチャが前記復号されたピクチャバッファ（５３０、６５０）に存在しない場合に、所定のピクチャが存在しないと決定する工程（Ｓ７３）と、をさらに有する
ことを特徴とする請求項１乃至１３のいずれか１項に記載の方法。
【請求項１５】
前記バッファ記述情報に基づいて、参照ピクチャリストの初期化を行う工程（Ｓ８０）をさらに有することを特徴とする請求項１乃至１４のいずれか１項に記載の方法。
【請求項１６】
前記少なくとも１つのピクチャ識別子を決定する前記工程（Ｓ３１）は、前記バッファ記述情報に基づいて、前記参照ピクチャ（４０、４２）の各々を示す少なくとも１つのピクチャオーダカウント（ＰＯＣ）値を、前記ピクチャ（１０）の復号参照として決定する工程（Ｓ３１）を有することを特徴とする請求項１乃至１５のいずれか１項に記載の方法。
【請求項１７】
前記少なくとも１つのＰＯＣ値を決定する前記工程（Ｓ３１）は、前記バッファ記述情報に基づいて、前記少なくとも１つのピクチャオーダカウント（ＰＯＣ）値と、前記参照ピクチャ（４０、４２）の各々を示す少なくとも１つの追加識別子とを、前記ピクチャ（１０）の復号参照として決定する工程（Ｓ３１）を有することを特徴とする請求項１６に記載の方法。
【請求項１８】
前記ビデオストリーム（１）は、複数のレイヤにグループ化されたピクチャ（１０、４０、４２、５０）を有するスケーラブルビデオストリームであり、
前記バッファ記述情報を取得する前記工程（Ｓ３０）は、前記少なくとも１つのピクチャ識別子を定義する前記バッファ記述情報と、前記参照ピクチャ（４０、４２）の各々が所属する前記複数のレイヤの各レイヤを定義するレイヤ情報とを取得する工程（Ｓ３０）を有する
ことを特徴とする請求項１乃至１７のいずれか１項に記載の方法。
【請求項１９】
ビデオストリーム（１）の複数のピクチャ（１０、４０、４２、５０）のうちの１つのピクチャ（１０）の符号化表現（６０）を復号する復号器（４００）であって、
前記ピクチャ（１０）の符号化表現（６０）から少なくとも１つの参照ピクチャ（４０、４２）を定義するバッファ記述情報を取得するデータ取得器（４１０）と、
前記バッファ記述情報に基づいて、前記少なくとも１つの参照ピクチャ（４０、４２）のうちの参照ピクチャ（４０、４２）の各々を示す少なくとも１つのピクチャ識別子を、前記ピクチャ（１０）の復号参照として決定するピクチャ識別子決定器（４２０）と、
復号されたピクチャバッファ（５３０）に含まれる全ての参照ピクチャであり、且つ前記バッファ記述情報に基づいて決定された前記少なくとも１つのピクチャ識別子のいずれとも関連づけられていないピクチャを、参照に用いないものとしてマークすることにより、前記少なくとも１つのピクチャ識別子に基づいて、前記復号されたピクチャバッファ（５３０）を更新するバッファマネージャ（４３０）と、を有し、
前記ピクチャ識別子決定器（４２０）は、ｉ）前記バッファ記述情報に基づいて、各デルタ識別子を取得し、ｉｉ）前記ピクチャ（１０）を示すピクチャ識別子及び前記各デルタ識別子に基づいて、前記少なくとも１つのピクチャ識別子を算出する
ことを特徴とする復号器。
【請求項２０】
前記バッファマネージャ（４３０）は、前記少なくとも１つのピクチャ識別子により示される前記参照ピクチャ（４０、４２）の各々を含むように前記復号されたピクチャバッファ（５３０）を更新することを特徴とする請求項１９に記載の復号器。
【請求項２１】
前記データ取得器（４１０）は、前記ピクチャ（１０）の符号化表現（６０）から、複数の参照ピクチャ（４０、４２）を定義する前記バッファ記述情報を取得し、
前記ピクチャ識別子決定器（４２０）は、前記バッファ記述情報に基づいて、ｉ）前記複数の参照ピクチャ（４０、４２）の参照ピクチャ（４０、４２）の各々を示す少なくとも１つのピクチャ識別子を、該ピクチャ（１０）の復号参照として決定し、ｉｉ）前記複数の参照ピクチャ（４０、４２）のうちの参照ピクチャ（４２）の各々を示す少なくとも１つのピクチャ識別子を、前記ビデオストリーム（１）の復号順に係り後続するピクチャ（５０）の復号参照として決定する
ことを特徴とする請求項１９または２０に記載の復号器。
【請求項２２】
前記復号器（４００）は、前記バッファマネージャ（４３０）が前記復号されたピクチャバッファ（５３０）を更新した後に、前記ピクチャ（１０）の符号化表現（６０）及び前記復号されたピクチャバッファ（５３０）に含まれる少なくとも１つの参照ピクチャ（４０、４２）に基づいて前記ピクチャ（１０）を復号することを特徴とする請求項１９乃至２１のいずれか１項に記載の復号器。
【請求項２３】
前記バッファマネージャ（４３０）は、前記復号されたピクチャバッファ（５３０）に含まれる参照ピクチャであって、前記バッファ記述情報に基づいて決定された前記少なくとも１つのピクチャ識別子のうちの１つのピクチャ識別子が関連づけられたピクチャを、参照に用いるものとして、好ましくは短期参照または長期参照に用いるものとしてマークすることを特徴とする請求項１９乃至２２のいずれか１項に記載の復号器。
【請求項２４】
前記バッファマネージャ（４３０）は、前記復号器（４００）が前記ピクチャ（１０）を復号することに先立っていずれかの参照ピクチャをマーク付けすることを特徴とする請求項１９乃至２３のいずれか１項に記載の復号器。
【請求項２５】
前記復号器（４００）が前記ピクチャ（１０）を復号することに先立って、表示用の前記復号されたピクチャバッファ（５３０）から０以上のピクチャを出力する出力部（４５０）をさらに有することを特徴とする請求項１９乃至２４のいずれか１項に記載の復号器。
【請求項２６】
前記データ取得器（４１０）は、前記ピクチャ（１０）の符号化表現（６０）のスライスヘッダ（６５）から前記バッファ記述情報を取得することを特徴とする請求項１９乃至２５のいずれか１項に記載の復号器。
【請求項２７】
前記データ取得器（４１０）は、前記少なくとも１つの参照ピクチャ（４０、４２）を定義するバッファ記述を示す前記バッファ記述情報を、前記ピクチャ（１０）の符号化表現（６０）から取得し、
前記復号器（４００）は、前記バッファ記述情報に基づいて、各々が少なくとも１つの参照ピクチャ（４０、４２）を定義する複数の予め定義されたバッファ記述を含む１つのデータ構造から、前記バッファ記述を同定するバッファ記述同定器（４８０）をさらに有する
ことを特徴とする請求項１９乃至２６のいずれか１項に記載の復号器。
【請求項２８】
前記データ取得器（４１０）は、前記ビデオストリーム（１）の１つの符号化表現に関連づけられた、１つのピクチャパラメータセット（６７）または１つのシーケンスパラメータセット（６８）から前記データ構造を取得することを特徴とする請求項２７に記載の復号器。
【請求項２９】
前記バッファ記述情報は、前記バッファ記述を示す識別子及び少なくとも１つの参照ピクチャ（４０、４２）を定義する情報を含み、
前記ピクチャ識別子決定器（４２０）は、ｉ）前記バッファ記述に基づいて、参照ピクチャの各々を示す少なくとも１つのピクチャ識別子の第１のセットを決定し、ｉｉ）前記少なくとも１つの参照ピクチャ（４０、４２）を定義する情報に基づいて、参照ピクチャの各々を示す少なくとも１つのピクチャ識別子の第２のセットを決定し、ｉｉｉ）前記第１のセット及び前記第２のセットに基づいて、ピクチャ識別子のジョイントセットを形成する
ことを特徴とする請求項２７または２８に記載の復号器。
【請求項３０】
前記ジョイントセット内のピクチャ識別子の総数と参照ピクチャの最大数とを比較する数値比較器（４４０）をさらに有し、
前記ピクチャ識別子決定器（４２０）は、前記ピクチャ識別子の総数が前記参照ピクチャの最大数を上回る場合に、前記第１のセットに含まれ、かつ前記第２のセットに含まれない１以上のピクチャ識別子を、前記ジョイントセット内のピクチャ識別子の総数が前記参照ピクチャの最大数を超えない数まで前記ジョイントセットから削除する
ことを特徴とする請求項２９に記載の復号器。
【請求項３１】
前記バッファマネージャ（４３０）は、前記復号されたピクチャバッファ（５３０）内に格納され、前記バッファ記述情報から決定される前記少なくとも１つのピクチャ識別子のいずれかに関連付けられていない全ての参照ピクチャを、前記復号されたピクチャバッファ（５３０）から削除することを特徴とする請求項１９乃至３０のいずれか１項に記載の復号器。
【請求項３２】
前記決定された少なくとも１つのピクチャ識別子と、前記復号されたピクチャバッファ（５３０）内に存在する参照ピクチャが関連付けられたピクチャ識別子とを比較する識別子比較器（４６０）をさらに有し、
前記ピクチャ識別子決定器（４２０）は、所定のピクチャを示すピクチャ識別子が前記決定された少なくとも１つのピクチャ識別子から発見され、前記所定のピクチャが前記復号されたピクチャバッファ（５３０）に存在しない場合に、所定のピクチャが存在しないと決定する
ことを特徴とする請求項１９乃至３１のいずれか１項に記載の復号器。
【請求項３３】
前記バッファ記述情報に基づいて、参照ピクチャリストの初期化を行うリストマネージャ（４７０）をさらに有することを特徴とする請求項１９乃至３２のいずれか１項に記載の復号器。
【請求項３４】
ビデオストリーム（１）の複数のピクチャ（１０、４０、４２、５０）の符号化表現（６０）を受信する入力部（５１０）と、
前記複数のピクチャ（１０、４０、４２、５０）の符号化表現を復号する、請求項１９乃至３３のいずれか１項に記載の復号器（４００）と、
前記ビデオストリーム（１）の復号されたピクチャを出力する出力部（５２０）と、を有する
ことを特徴とする受信機（５００）。
【請求項３５】
ビデオストリーム（１）の複数のピクチャ（１０、４０、４２、５０）の符号化表現（６０）を受信する入力部（６１０）と、
メモリ（６４０）に格納されたコンピュータプログラムのコード手段を処理するプロセッサ（６３０）であって、前記コード手段が該プロセッサ（６３０）において実行された場合に、
ピクチャ（１０）の符号化表現（６０）から少なくとも１つの参照ピクチャ（４０、４２）を定義するバッファ記述情報を取得し、
前記バッファ記述情報に基づいて、前記少なくとも１つの参照ピクチャ（４０、４２）の各々を示す少なくとも１つのピクチャ識別子を、前記ピクチャ（１０）の復号参照として決定し、
復号されたピクチャバッファ（６５０）に含まれる全ての参照ピクチャであり、且つ前記バッファ記述情報に基づいて決定された前記少なくとも１つのピクチャ識別子のいずれとも関連づけられていないピクチャを、参照に用いないものとしてマークすることにより、前記少なくとも１つのピクチャ識別子に基づいて、前記復号されたピクチャバッファ（６５０）を更新し、
ｉ）前記バッファ記述情報に基づいて、各デルタ識別子を取得し、ｉｉ）前記ピクチャ（１０）を示すピクチャ識別子及び前記各デルタ識別子に基づいて、前記少なくとも１つのピクチャ識別子を算出するプロセッサ（６３０）と、
前記ビデオストリーム（１）の復号されたピクチャを出力する出力部（６２０）と、を有する
ことを特徴とする復号器（６００）。